(57)【要約】【課題】最適なプロテクト効果を提供できるタッチパネル及びその製造方法を提供する。【解決手段】タッチパネルはディスプレイユニット100、偏光板120、保護層170を備え、偏光板120はディスプレイユニット100の上に設置し、しかも偏光板120の少なくとも１個の辺縁はディスプレイユニット100の外に突出し、複数の上センサーストリング141は偏光板120に位置し、複数の上周辺回線142は偏光板120の辺縁に位置し、複数の上センサーストリング141とそれぞれ電気的に連接し、保護層170は複数の上周辺回線142を覆う。【選択図】図１
2014075129.tif 000002
【特許請求の範囲】
【請求項１】
タッチパネルは、ディスプレイユニット、偏光板、複数の上センサーストリング、複数の上周辺回線、保護層を備え、
前記偏光板は、前記ディスプレイユニットの上に設置し、しかも前記偏光板の少なくとも１個の辺縁は、前記ディスプレイユニットの外に突出し、
前記複数の上センサーストリングは、前記偏光板に位置し、
前記複数の上周辺回線は、前記偏光板の辺縁に位置し、前記各上センサーストリングと電気的に連接し、
前記保護層は、前記各上周辺回線を覆うことを特徴とするタッチパネル。
【請求項２】
前記タッチパネルの保護層は、フォトレジスト或いはブラックマトリックスであることを特徴とする請求項１に記載のタッチパネル。
【請求項３】
タッチパネルは、ディスプレイユニット、偏光板、複数の上センサーストリング、複数の上周辺回線、粘着層、保護層を備え、
前記偏光板は、前記ディスプレイユニットの上に設置し、しかも前記偏光板の少なくとも１個の辺縁は、前記ディスプレイユニットの外に突出し、
前記複数の上センサーストリングは、前記偏光板に位置し、
前記複数の上周辺回線は、前記偏光板の辺縁に位置し、前記各上センサーストリングと、それぞれ電気的に連接し、
前記粘着層は、前記偏光板の下に位置し、前記偏光板と前記ディスプレイユニットとを粘着し、
前記保護層は、前記各上周辺回線に相対し、前記粘着層の下に位置することを特徴とするタッチパネル。
【請求項４】
前記保護層は、ポリエステル或いは防水層ことを特徴とする請求項３に記載のタッチパネル。
【請求項５】
前記タッチパネルはさらに、外枠を備え、前記ディスプレイユニットと前記偏光板の辺縁を固定し、しかも前記各上周辺回線を遮蔽することを特徴とする請求項１〜４に記載のタッチパネル。
【請求項６】
タッチパネルの製造方法は、以下を含み、
ディスプレイユニットを提供し、
偏光板を提供し、複数の上センサーストリングと複数の上周辺回線を形成し、前記偏光板において、相互に電気的に連接し、 
保護層を提供し、前記各上周辺回線を覆い、
前記偏光板を、前記ディスプレイユニット上に接着し、しかも前記偏光板の少なくとも１個の辺縁は、前記ディスプレイユニットの外に突出することを特徴とするタッチパネルの製造方法。
【請求項７】
タッチパネルの製造方法は、以下を含み、
ディスプレイユニットを提供し、
偏光板を提供し、複数の上センサーストリングと複数の上周辺回線を形成し、前記偏光板において、相互に電気的に連接し、
粘着層により、偏光板を接着し、
前記偏光板を、前記ディスプレイユニット上に接着し、しかも前記偏光板の少なくとも１個の辺縁は、前記ディスプレイユニットの外に突出し、
前記保護層を形成し、前記粘着層に位置し、しかも前記各上周辺回線の下に相対することを特徴とする。
【発明の詳細な説明】
【技術分野】
【０００１】
本発明はタッチパネル及びその製造方法に関し、特に最良のプロテクト効果を備えるタッチパネル及びその製造方法に関する。
【背景技術】
【０００２】
民生性電子製品の市場において、PDA、携帯電話(mobile
Phone)、ノート型コンピューター(notebook)、タブレットPC(tablet PC)等ポータブル電子製品はみな広くタッチパネル(touch
panel)を使用し、インターフェースツールとしている。
【０００３】
現在の電子製品は、コンパクトで軽量の方向に向っているため、キーボード、マウス等従来の入力デバイスを収納する空間は、製品にはない。
特に、ヒューマンインターフェース設計のタブレットPCが需要を牽引し、タッチパネルはキーパーツの一つとなっている。
しかも、タッチパネルは、多層メニュー設計の要求に応える必要がある他、同時にキーボード、マウス等の機能と手書き入力等のヒューマンインターフェース操作方式を備える必要もある。
特に、入力と出力を、同一のインターフェース(スクリーン)に統合する特質は、他の伝統的な入力デバイスではなしえない点である。
【０００４】
従来のタッチパネルには、抵抗膜方式、静電容量方式、光学方式等のタッチパネルがある。
中でも、静電容量方式タッチパネルは、基板上にセンサー電極、絶縁材料、導電回線等のスタッキング構造を設置し、コントロール回路及び液晶ディスプレーモジュールと相互に結合し、電子タッチ設備中に配置する。
指或いはタッチペンが触れ、或いは静電容量方式タッチパネルに接近すると、タッチ位置に、電位信号の変化を生じる。
コントロール回路は、その電位信号変化に基づき、タッチされた位置の座標を探知する。
よって、タッチパネルは通常は、フラットな透明パネルとタッチ層により組成し、透明パネルはタッチエリアを備え、ユーザーはタッチ操作を行うことができる。
【０００５】
同時に、タッチパネルのタッチエリア外周囲には、周辺区を形成し、外部コントロール回路と連接する回線構造の敷設に用いる。
タッチパネルの実際の応用においては、人の手は油、水、溶剤等液体、或いは外界環境の影響を受ける可能性があり、もしタッチパネルそのものの密封性が不良なら、それを劣化させる確率は相対的に拡大する。
本発明は、従来のタッチパネル及びその製造方法の上記した欠点に鑑みてなされたものである。
【発明の概要】
【発明が解決しようとする課題】
【０００６】
本発明が解決しようとする課題は、最良のプロテクト効果を備えるタッチパネル及びその製造方法を提供することである。
【課題を解決するための手段】
【０００７】
上記課題を解決するため、本発明は下記のタッチパネル及びその製造方法を提供する。
タッチパネルは、ディスプレイユニット、偏光板、複数の上センサーストリング、複数の上周辺回線、保護層を備え、
該偏光板は、該ディスプレイユニットの上に設置し、しかも該偏光板の少なくとも１個の辺縁は、該ディスプレイユニットの外に突出し、
該複数の上センサーストリングは、該偏光板に位置し、
該複数の上周辺回線は、該偏光板の辺縁に位置し、該複数の上センサーストリングとそれぞれ電気的に連接し、
該保護層は、該複数の上周辺回線を覆い、
タッチパネルの製造方法は、以下を含み、
ディスプレイユニットを提供し、
偏光板を提供し、
複数の上センサーストリングと複数の上周辺回線を形成し、該偏光板において、相互に電気的に連接し、
保護層を提供し、複数の上周辺回線を覆い、
偏光板を、ディスプレイユニット上に接着し、しかも偏光板の少なくとも１個の辺縁はディスプレイユニットの外に突出し、
タッチパネルの製造方法は、以下を含み、
ディスプレイユニットを提供し、
偏光板を提供し、
複数の上センサーストリングと複数の上周辺回線を形成し、該偏光板において、相互に電気的に連接し、
粘着層により偏光板を接着し、偏光板を、ディスプレイユニット上に接着し、しかも偏光板の少なくとも１個の辺縁はディスプレイユニットの外に突出し、
保護層を粘着層に形成し、しかも複数の上周辺回線の下に相対する。
【発明の効果】
【０００８】
本発明のタッチパネル及びその製造方法により、最適なプロテクト効果を提供することができ、その正常な作動性能に悪影響を及ぼさないよう、水分のしみこみを確実に防止することができる。
【図面の簡単な説明】
【０００９】
【図１】本発明タッチパネルの第一実施例構造模式図である。
【図２】本発明タッチパネルの第二実施例構造模式図である。
【図３】本発明タッチパネルの第三実施例構造模式図である。
【図４】本発明タッチパネルの第四実施例構造模式図である。
【図５】本発明タッチパネルの第五実施例構造模式図である。
【図６】本発明タッチパネルの第六実施例構造模式図である。
【図７】本発明タッチパネルの別種の実施例構造模式図である。
【図８】本発明タッチパネルの別種の実施例構造模式図である。
【発明を実施するための形態】
【００１０】
以下に図面を参照しながら本発明を実施するための最良の形態について詳細に説明する。
【実施例】
【００１１】
本発明第一実施例が提供するタッチパネルの模式図である図１に示すように、本発明のタッチパネルは、ディスプレイユニット100、偏光板120、複数の上センサーストリング141、複数の上周辺回線142、保護層170を備える。
【００１２】
ディスプレイユニット100は、液晶ディスプレーモジュール或いはAMOLEDである。
偏光板120は、ディスプレイユニット100上に設置し、しかも偏光板120の少なくとも１個の辺縁は、ディスプレイユニット100の外に突出する。
図１に示す実施例において、偏光板120の側辺縁は、ディスプレイユニット100側辺縁外にそれぞれ突出する。
複数の上センサーストリング141及び複数の上周辺回線142は、偏光板120の下表面に位置する。
【００１３】
当然、複数の上センサーストリング141及び複数の上周辺回線142も、偏光板120の上表面に位置することができる。
複数の上センサーストリングはさらに、複数の第一方向ストリング(図示なし)と複数の第二方向ストリング(図示なし)を備え、両者は相互に交差し、しかも相互に電気的に絶縁する。
従来の技術中では、ブリッジ導線、ジャンパー導線を使用し、或いは絶縁パーツを増やし、或いは導電性ブリッジを設計する等方法を採用する。
【００１４】
複数の上センサーストリング141は、複数の第一方向ストリングの片面センサー構造などである。
複数の上周辺回線142は、偏光板120の辺縁に位置し、複数の上センサーストリング141と電気的に連接する。
保護層170は、複数の上周辺回線142を覆い、保護層170は、フォトレジスト(Photoresist)或いはブラックマトリックス(Black Matrix, BM)である。
保護層170により、各上周辺回線142に最適なプロテクト効果を提供し、正常な作動性能に影響を及ぼさないよう、水分の染みこみを完全に防止することができる。
【００１５】
粘着層160は、偏光板120の下に位置し、偏光板120とディスプレイユニット100とを接着し、両者を相互に粘着結合して固定する。
偏光板120の上にはさらに、透明保護基材150を設置し、保護の効果を提供する。
透明保護基材150の材質は、ガラス、強化ガラス、PC、PMMA或いはPCとPMMAの複合材などで、ディスプレイパネル外層の保護層(cover lens)とする。
【００１６】
本発明の第一実施例が提供するタッチパネル製造方法は、以下を含む。
先ず、ディスプレイユニット100を提供する。
偏光板120を提供する。
偏光板120に順番に透明導電層(図示なし)と金属層(図示なし)を形成する。
透明導電層と金属層を形成する方法は、物理蒸着法、化学蒸着法、電気メッキ法、コーティング法、或いは他の成膜方法である。
【００１７】
透明導電層は、金属酸化物、ナノシルバーライン或いはナノ導電金属などである。
【００１８】
金属酸化物は、酸化インジウムスズ(indium tin oxide, ITO)、酸化インジウム亜鉛(indium zinc oxide, IZO)、酸化カドミウムスズ(cadmium tin oxide, CTO)、酸化アルミニウム亜鉛(aluminum zinc oxide, AZO)、酸化インジウム亜鉛スズ(indium tin zinc oxide, ITZO)、酸化亜鉛(zinc oxide)、酸化カドミウム(cadmium oxide)、酸化ハフニウム(hafnium oxide, HfO)、酸化インジウムガリウム亜鉛(indium gallium zinc oxide, InGaZnO)、酸化インジウムガリウム亜鉛マグネシウム(indium gallium zinc magnesium oxide, InGaZnMgO)、酸化インジウムガリウムマグネシウム(indium gallium magnesium
oxide, InGaMgO)、或いは酸化インジウムガリウムアルミニウム(indium gallium aluminum oxide, InGaAlO)等である。
【００１９】
金属層は、少なくとも１個の層導電金属層，或いは多層導電金属層などである。
その材質は、銅合金、アルミニウム合金、金、銀、アルミニウム、銅、モリブデン等の導電金属或いは導電合金である。
【００２０】
多層導電金属層の構造は、モリブデン層/アルミニウム層/モリブデン層のスタッキング構造、或いは銅合金、アルミニウム合金、金、銀、アルミニウム、銅、モリブデン等導電金属或いは導電合金の一種或いは多種の材質を選び、スタッキングする多層導電金属層構造である。
【００２１】
さらに、２工程のリソグラフィプロセスにより、パターン化金属層と透明導電層を形成する。
パターン化製造工程は、ロールツーロールリソグラフィプロセス或いはロールツーロールレーザープロセスを採用し、複数の上センサーストリング141と複数の上周辺回線142を形成し、それぞれ相互に電気的に連接する。
【００２２】
ここでは、パターン化製造工程により、複数の導電パーツを配列して形成するセンサーストリングを形成する。
先ず、第一リソグラフィプロセスにより、パターン化された透明導電層と金属層を形成する。
続いて、第二リソグラフィプロセスにより、透明導電層の上に位置する金属層をエッチングにより除去し、複数の上センサーストリング141及び複数の上周辺回線142を形成する。
さらに、保護層170を提供し、複数の上周辺回線142を覆う。
保護層170を形成する方法は、印刷法、フォトレジストリソグラフィー法或いはインクジェット法である。
【００２３】
粘着層160により、偏光板120をディスプレイユニット100上に接着し、しかも偏光板120の少なくとも１個の辺縁は、ディスプレイユニット100の外に突出する。
こうして、本発明のタッチパネルを完成する。
粘着層160は、光学接着剤、水接着剤或いは他の重合物により組成する。
【００２４】
本発明第二実施例が提供するタッチパネルの模式図である図２に示すように、本発明のタッチパネルは、ディスプレイユニット200、偏光板220、複数の上センサーストリング241、複数の上周辺回線242、複数の上周辺回線242、粘着層260、保護層270を備える。
【００２５】
偏光板220は、ディスプレイユニット200の上に設置し、しかも偏光板220の少なくとも１個の辺縁は、ディスプレイユニット100の外に突出する。
【００２６】
複数の上センサーストリング241及び複数の上周辺回線242は、偏光板220の下表面に位置する。
当然、複数の上センサーストリング241及び複数の上周辺回線242は、偏光板220の上表面に位置することもできる。
複数の上センサーストリング241はさらに、複数の第一方向ストリング(図示なし)と複数の第二方向ストリング(図示なし)を備え、両者は相互に交差し、しかも相互に電気的に絶縁する。
複数の上センサーストリング141は、複数の第一方向ストリングの片面センサー構造である。
【００２７】
複数の上周辺回線242は、偏光板220の辺縁に位置し、複数の上センサーストリング241とそれぞれ電気的に連接する。
【００２８】
粘着層260は、偏光板220の下に位置し、偏光板220とディスプレイユニット200とを接着する。
【００２９】
保護層270は、各上周辺回線242に相対し、粘着層260の下に位置し、保護層270は、ポリエステル或いは防水層である。
ポリエステル重合物材料は、ポリエチレンテレフタレート(Polyethylene
Terephthalate, PET) 、ポリエステル(Polyester, PES）、ポリアミド(Polyamides, PA）、ポリビニルクロライド(Polyvinyl
chloride, PVC）、ポリカーボネート(Polycarbonate, PC）等であるが、これに限定しない。
ポリエステル防水層の材料は、重合物ドーピング防水剤、シリコン或いは防水樹脂であるが、これに限定しない。
【００３０】
保護層270により、各上周辺回線242に最適なプロテクト効果を提供し、その正常な作動性能に悪影響を及ぼさないよう、水分のしみこみを確実に防止することができる。
【００３１】
本発明の第二実施例が提供するタッチパネル製造方法は、以下を含む。
先ず、ディスプレイユニット200を提供する。
偏光板220を提供する。
偏光板220に、順番に透明導電層(図示なし)と金属層(図示なし)を形成する。
透明導電層と金属層を形成する方法は、物理蒸着法、化学蒸着法、電気メッキ法、コーティング法或いは他の成膜方法である。
【００３２】
さらに、２工程のリソグラフィプロセスにより、パターン化金属層と透明導電層を形成する。
パターン化製造工程では、ロールツーロールリソグラフィプロセス或いはロールツーロールレーザープロセスを採用し、複数の上センサーストリング241と複数の上周辺回線242を形成し、それぞれ相互に電気的に連接する。
パターン化製造工程はおおよそ、フォトリソグラフィ(photolithography)により達成する。
フォトリソグラフィは、フォトレジストコーティング(photoresist coating)、ソフトベイキング(soft baking)、フォトマスク位置合わせ(mask aligning)、露光(exposure)、露光後ベイキング(post-exposure)、フォトレジストディベロッピング(developing photoresist)、ハードベイキング(hard baking)を含む。
これら製造工程は、本領域に属する技術者なら内容を熟知しているため、ここでは詳述しない。
【００３３】
続いて、粘着層260により偏光板220を接着する。
粘着層260は、光学接着剤、水接着剤或いは他の重合物により組成する。
さらに、偏光板220を、ディスプレイユニット200上に接着し、しかも偏光板220の少なくとも１個の辺縁は、ディスプレイユニット200の外に突出する。
保護層270を、複数の上周辺回線242に相対して形成し、粘着層260の下に位置させる。
保護層270を形成する方法は、接着法、印刷法、フォトレジストリソグラフィー法、インクジェット法、スプレー法、回転コーティング法或いはスリット式コーティング法である。
【００３４】
本発明第三実施例が提供するタッチパネルの模式図である図３に示すように、本発明のタッチパネルは、ディスプレイユニット300、偏光板320、パターン化遮光層390、複数の上センサーストリング341、複数の上周辺回線342を備える。
【００３５】
偏光板320は、ディスプレイユニット300の上に設置し、しかも偏光板320の少なくとも１個の辺縁は、ディスプレイユニット300の外に突出する。
パターン化遮光層390は、偏光板320の下表面に位置する。
【００３６】
複数の上センサーストリング341及び複数の上周辺回線342は、偏光板320の下表面に位置する。
当然、複数の上センサーストリング341及び複数の上周辺回線342は、偏光板320の上表面に位置させることもできる。
複数の上センサーストリングはさらに、複数の第一方向ストリング(図示なし)と複数の第二方向ストリング(図示なし)を備え、両者は相互に交差し、しかも相互に電気的に絶縁する。
複数の上センサーストリング141は、複数の第一方向ストリングの片面センサー構造などである。
複数の上周辺回線342は、偏光板320の辺縁に位置し、複数の上周辺回線342は、複数の上センサーストリング341とそれぞれ電気的に連接する。
各上周辺回線342は、偏光板320の辺縁に位置し、相対してパターン化遮光層390の下に位置し、パターン化遮光層390の遮蔽を受ける。
【００３７】
パターン化遮光層390の材質は、金属クロム(Cr)、フォトレジスト材料、黒色レジン(resin)、ニッケル/ウォルフラム(Ni/W)或いはインク(ink)などである。
パターン化遮光層390の形成方法は、リソグラフィエッチング製造工程(Lithography and Etching Process)を採用し、フォトレジストをコーティングした後、続けてフォトマスク(Mask)を使用して、露光、ディベロップメント等ステップを順番に完成させる。
こうして、エッチングして、パターン化遮光層390の製作を完成させる。
パターン化遮光層390はまた、印刷インク技術或いはフォトレジスト材料を採用し、パターン化遮光層390を採用することができるが、これに限定しない。
【００３８】
粘着層360は、偏光板320の下に位置し、偏光板320とディスプレイユニット300とを接着する。
【００３９】
保護層370は、複数の上周辺回線342を覆い、保護層370により、各上周辺回線342に最適なプロテクト効果を提供し、その正常な作動性能に悪影響を及ぼさないよう、水分のしみこみを確実に防止することができる。
【００４０】
本発明第四実施例が提供するタッチパネルの模式図である図４に示すように、本発明のタッチパネルは、ディスプレイユニット400、偏光板420、複数の上センサーストリング441、複数の上周辺回線442、粘着層460、保護層470を備える。
【００４１】
偏光板420は、ディスプレイユニット400の上に設置し、しかも偏光板420の少なくとも１個の辺縁は、ディスプレイユニット400の外に突出する。
複数の上センサーストリング441及び複数の上周辺回線442は、偏光板420の下表面に位置する。
当然、複数の上センサーストリング441及び複数の上周辺回線442は、偏光板420の上表面に位置することもできる。
【００４２】
複数の上周辺回線442は、複数の上センサーストリング441とそれぞれ電気的に連接し、複数の上周辺回線442は、偏光板420の辺縁に位置する。
複数の上センサーストリング441はさらに、複数の第一方向ストリング(図示なし)と複数の第二方向ストリング(図示なし)を備え、両者は相互に交差し、しかも相互に電気的に絶縁する。
複数の上センサーストリング441は、複数の第一方向ストリングの片面センサー構造である。
【００４３】
粘着層460は、偏光板420の下に位置し、偏光板420とディスプレイユニット400を接着する。
【００４４】
保護層470は、複数の上周辺回線442を覆う。
保護層470により、各上周辺回線442に最適なプロテクト効果を提供し、その正常な作動性能に悪影響を及ぼさないよう、水分のしみこみを確実に防止することができる。
【００４５】
図４に示す実施例ではさらに、外枠430を備える
外枠430により、複数の上周辺回線442、及び固定ディスプレイユニット400と偏光板420の辺縁を遮蔽し、しかも複数の上周辺回線442を遮蔽する。
外枠430が複数の上周辺回線442を遮蔽することで、優良な外観の表示効果を提供でき、しかもタッチパネルの薄型化と軽量化を達成することもできる。
【００４６】
上記した実施例の複数の上センサーストリングはさらに、複数の第一方向ストリング(図示なし)と複数の第二方向ストリング(図示なし)を備え、両者は相互に交差し、しかも相互に電気的に絶縁する。
複数の第一方向ストリングは、偏光板の上表面に位置し、複数の第二方向ストリングは、偏光板の下表面に位置する。
【００４７】
本発明第五実施例が提供するタッチパネルの模式図である図５に示すように、本発明のタッチパネルは、ディスプレイユニット500、偏光板520複数の上センサーストリング541、複数の上周辺回線542、複数の下センサーストリング543、複数の下周辺回線544、粘着層560、保護層570、フレキシブル透明基材580、パターン化遮光層590を備える。
【００４８】
偏光板520は、ディスプレイユニット500の上に設置し、しかも偏光板520の少なくとも１個の辺縁は、ディスプレイユニット500の外に突出する。
【００４９】
複数の上センサーストリング541及び複数の上周辺回線542は、偏光板520の下表面に位置する。
複数の上周辺回線542は、複数の上センサーストリング541と電気的に連接し、各上周辺回線542は、偏光板520の辺縁に位置する。
【００５０】
さらに、複数の下センサーストリング543及び複数の下周辺回線544は、フレキシブル透明基材580の下表面に位置する。
複数の上センサーストリング541及び複数の下センサーストリング542は、相互に交差し、しかも電気的に絶縁する。
【００５１】
フレキシブル透明基材580の材質は、TAC、PMMA等の低位相差材料であるが、これに限定しない。
【００５２】
複数の下周辺回線544は、複数の下センサーストリング543とそれぞれ電気的に連接し、各下周辺回線544は、フレキシブル透明基材580の辺縁に位置する。
【００５３】
粘着層560は、偏光板520の下に位置し、偏光板520とフレキシブル透明基材580を接着する。
もう一つの粘着層560は、フレキシブル透明基材580の下に位置し、フレキシブル透明基材580とディスプレイユニット500とを接着する。
【００５４】
保護層570は、複数の上周辺回線542及び複数の下周辺回線544をそれぞれ覆い、保護層570により、各上周辺回線542に最適なプロテクト効果を提供し、その正常な作動性能に悪影響を及ぼさないよう、水分のしみこみを確実に防止することができる。
【００５５】
図５に示す実施例中ではさらに、偏光板520の下に位置するパターン化遮光層590を備え、複数の上周辺回線542及び複数の下周辺回線544を遮蔽し、優良な外観の表示効果を提供する。
【００５６】
本発明第六実施例が提供するタッチパネルの模式図である図６に示すように、本発明のタッチパネルは、ディスプレイユニット600、偏光板620、複数の上センサーストリング641、複数の上周辺回線642、複数の下センサーストリング643、粘着層660、複数の下周辺回線644、保護層670、フレキシブル透明基材680、外枠630を備える。
【００５７】
偏光板620は、ディスプレイユニット600の上に設置し、しかも偏光板620の少なくとも１個の辺縁は、ディスプレイユニット600の外に突出する。
【００５８】
複数の上センサーストリング641及び複数の上周辺回線642は、偏光板620の下表面に位置する。
複数の上周辺回線642は、複数の上センサーストリング641とそれぞれ電気的に連接する。
複数の上周辺回線642は、偏光板620の辺縁に位置する。
【００５９】
複数の下センサーストリング643及び複数の下周辺回線644は、フレキシブル透明基材680の下表面に位置する。
複数の上センサーストリング641及び複数の下センサーストリング642は、相互に交差し、しかも電気的に絶縁する。
【００６０】
フレキシブル透明基材680材質は、TAC、PMMA等の低位相差材料であるが、これに限定しない。
【００６１】
複数の下周辺回線644は、複数の下センサーストリング643とそれぞれ電気的に連接し、各下周辺回線644は、フレキシブル透明基材680の辺縁に位置する。
【００６２】
粘着層660は、偏光板620の下に位置し、偏光板620とフレキシブル透明基材680を接着する。
もう一つの粘着層660は、フレキシブル透明基材680の下に位置し、フレキシブル透明基材680とディスプレイユニット600とを接着する。
【００６３】
保護層670は、複数の上周辺回線642及び複数の下周辺回線644をそれぞれ覆う。
保護層670により、各上周辺回線642に最適なプロテクト効果を提供し、その正常な作動性能に悪影響を及ぼさないよう、水分のしみこみを確実に防止することができる。
【００６４】
図６に示す実施例中ではさらに、外枠630を備える。
外枠630により、複数の上周辺回線642及び複数の下周辺回線644を遮蔽し、優良な外観の表示効果を提供する。
外枠630は、ディスプレイユニット600と偏光板620の辺縁を固定し、しかも複数の上周辺回線642及び複数の下周辺回線644を遮蔽する。
外枠630が周辺回線642を遮蔽することで、優良な外観の表示効果を提供でき、しかもタッチパネルの薄型化と軽量化を達成することもできる。
【００６５】
上記した第三実施例から第六実施例に示す保護層は、第二実施例に示すように、複数の上周辺回線に相対し、しかも粘着層の下に位置し、同様に、複数の上周辺回線に対して、最適なプロテクト効果を提供する。
保護層により、各上周辺回線に最適なプロテクト効果を提供し、その正常な作動性能に悪影響を及ぼさないよう、水分のしみこみを確実に防止することができる。
さらに、上記した各実施例中の偏光板は、フレキシブル透明基材に置換できる。
【００６６】
本発明別種の実施例が提供するタッチパネルの模式図である図７に示すように、本発明のタッチパネルは、ディスプレイユニット700、第一フレキシブル透明基材740、複数の上センサーストリング741、複数の上周辺回線742、保護層770を備える。
【００６７】
保護層770は、複数の上周辺回線742を覆い、保護層770により、各上周辺回線742に最適なプロテクト効果を提供し、その正常な作動性能に悪影響を及ぼさないよう、水分のしみこみを確実に防止することができる。
【００６８】
第一フレキシブル透明基材740の材質は、TAC、PMMA等の低位相差材料であるが、これに限定しない。
【００６９】
本発明別種の実施例が提供するタッチパネルの模式図である図８に示すように、本発明のタッチパネルは、ディスプレイユニット800、第一フレキシブル透明基材840、複数の上センサーストリング841、複数の上周辺回線842、粘着層860、保護層870を備える。
【００７０】
粘着層860は、第一フレキシブル透明基材840の下に位置し、第一フレキシブル透明基材840とディスプレイユニット800を接着する。
【００７１】
保護層870は、複数の上周辺回線842に相対し、粘着層860の下に位置し、同様に、下方の複数の上周辺回線842に対してプロテクトの効果を備える。
保護層870により、各上周辺回線842に最適なプロテクト効果を提供し、その正常な作動性能に悪影響を及ぼさないよう、水分のしみこみを確実に防止することができる。
【００７２】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００７３】
本発明は特許の要件である新規性を備え、従来の同類製品に比べ十分な進歩を有し、実用性が高く、社会のニーズに合致しており、産業上の利用価値は非常に大きい。
【符号の説明】
【００７４】
100、200、300、400、500、600、700、800  ディスプレイユニット
120、220、320、420、520、620  偏光板
141、241、341、441、541、641、741、841  複数の上センサーストリング
142、242、342、442、542、642、742、842  複数の上周辺回線
543、643  複数の下センサーストリング
544、644  複数の下周辺回線
150、250  透明保護基材
580、680  フレキシブル透明基材
740、840  第一フレキシブル透明基材
160、260、360、460、560、660、740、840  粘着層
170、270、370、470、570、670、740、840  保護層
330、630  外枠
390、590  パターン化遮光層
【図１】
2014075129.tif 000003
【図２】
2014075129.tif 000004
【図３】
2014075129.tif 000005
【図４】
2014075129.tif 000006
【図５】
2014075129.tif 000007
【図６】
2014075129.tif 000008
【図７】
2014075129.tif 000009
【図８】
2014075129.tif 000010